(57)【要約】【課題】誤操作が発生しにくく、利き手による操作の難易がなく、片手で操作でき、組立も容易なだけでなく、構造が簡単な、ヒトまたは動物用の留置針や採血用器具に用い得る医療用カテーテルを提供する。【解決手段】筒状ケース３の外筒３１の軸線方向途中部位に取り付けたリング５を回転操作することにより、内針２１とこれを保持する内針ハブ２２からなる内針部２及び筒状ケース３の内筒３２の係止状態を解放し、コイルバネ４の付勢力でこれらを一体にスライド移動させ、外筒３１内へ収納する。これにより内針２１の針先を筒状ケース３中に保持して外部へ突出しないようにして針刺し事故の発生可能性を低下させ、ＨＩＶ等の感染病に罹病する危険性も減少させる。【選択図】        図１
2004242758.tif 000002
【特許請求の範囲】
【請求項１】
少なくとも先端を血管内等患者や患畜の体内へ留置させ得る外針を備える外針部と、該外針部に装着した状態で患者や患畜の皮膚へ穿刺することにより上記外針を上記留置可能状態へ案内する内針を備える内針部と、少なくとも上記内針を収納可能な筒状ケースと、該筒状ケースの内部に位置して上記内針部を上記筒状ケースの先端側から基端側へ移動付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部を上記内針部の外周に設けた係止部位と係合及び係合解除可能に取り付け、上記環状体の操作により上記環状体の突状部と上記内針の係止部位とを上記付勢手段による付勢力に抗した状態で係合可能とし、かつ該係合を解いて上記筒状ケースの上記基端方向へ上記内針部を付勢移動可能としてなることを特徴とする医療用カテーテル。
【請求項２】
少なくとも先端を血管内等患者や患畜の体内へ留置させ得る外針を備える外針部と、該外針部に装着した状態で患者や患畜の皮膚等へ穿刺することにより上記外針を上記留置可能状態へ案内する内針を備える内針部と、少なくとも上記内針を収納可能な筒状ケースと、該筒状ケースの内部に位置して上記内針部を上記筒状ケースの先端側から基端側へ移動付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部を上記内針部の外周に設けた係止部位と係合及び係合解除可能に取り付けるとともに、上記筒状ケースの基端から突出する上記内針部の基端に回転操作用部位を設け、上記環状体または上記回転操作用部位の操作により上記環状体の突状部と上記内針の係止部位とを上記付勢手段による付勢力に抗した状態で係合可能とし、かつ該係合を解いて上記筒状ケースの上記基端方向へ上記内針を付勢移動可能としてなることを特徴とする医療用カテーテル。
【請求項３】
注射針を備える針部と、少なくとも上記注射針を収納可能な筒状ケースと、該筒状ケースの内部に位置して上記針部を上記筒状ケースの先端側から基端側へ付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部と上記針部の係止部位とを係合及び係合解除可能に取り付け、上記環状体の操作により上記付勢手段による付勢力に抗して上記針部と係合可能とし、かつ該係合を解いて上記筒状ケースの上記基端方向へ上記針部を付勢移動可能としてなることを特徴とする医療用カテーテル。
【請求項４】
注射針を備える針部と、少なくとも上記注射針を収納可能な筒状ケースと、該筒状ケースの内部に位置して上記針部を上記筒状ケースの先端側から基端側へ付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部を上記内針の外周に設けた係止部位と係合及び係合解除可能に取り付けるとともに、上記筒状ケースの基端から突出する上記針部の基端に回転操作用部位を設け、上記環状体または上記回転操作用部位の操作により上記付勢手段による付勢力に抗して上記針部の係止部位を上記環状体の突状部と係合可能とし、かつ該係合を解いて上記筒状ケースの上記基端方向へ上記針部を付勢移動可能としてなることを特徴とする医療用カテーテル。
【発明の詳細な説明】
【０００１】
【産業上の利用分野】
本発明は、ヒトまたは動物用の留置針や採血用器具に用いる医療用カテーテルに関し、詳細には安全機構付き留置針や安全機構付き採血用器具に用い、使用済みの針をケース内へ収納するタイプのものに関する。
【０００２】
【従来の技術】
医療機関においては、留置針の内針を誤って刺してＨＢＶ、ＨＣＶ、ＨＩＶ等の血液中の病原体に感染する事故が起き問題となっている。このような針刺し事故の対策法の１つとして、安全機構付き留置針や安全機構付き採血用器具の開発が行われている。
【０００３】
安全機構付き留置針や安全機構付き採血用器具等の医療用カテーテル、特に使用済みの針をケース内へ収納するタイプのものについては、例えば突き刺しのおそれがあるニードルハブを付勢手段によって中空のハンドル内部へ収納するもの（例えば、特許文献１参照。）、使用後の内針を速やかに収納筒内へ収納する収納機構を備えるもの（例えば、特許文献２、３参照。）等が提案されている。これらの技術は、操作部材を収納筒の周方向に操作して付勢手段にて内針を収納し、収納筒に設けられた切り欠きへ操作部材を固定するというものである。
【０００４】
また誤動作が発生しにくく、利き手による操作の難易がない構造として、収納筒の内部に内針を基端方向に付勢するための付勢手段を備えるとともに、内針を収納筒の先端部に解除可能かつ内針の先端が収納筒から突出するように係合する操作体を備るものも提案されている（例えば、特許文献４参照。）。
【０００５】
【特許文献１】
特開平３−１５４８１号公報
【特許文献２】
特開２０００−１６７０５１号公報
【特許文献３】
特開２０００−１８５０９６号公報
【特許文献４】
特開２００２−２１００１８号公報
【０００６】
【発明が解決しようとする課題】
しかしながら特許文献１が開示するものは、トリガーに相当する部分を収納筒外側から内側へ押圧して解除するため、本来予定していない場面において誤って押圧され、内針が収納されてしまうという誤動作が極めて発生しやすいという問題がある。また特許文献２、３が開示する安全留置針は、意図しない押圧による誤動作を防止できるものの、内針収容後に収納筒自体の周方向への操作を必要とすること等の点から、利き手の左右によっては操作しにくく、利き手の左右に合わせた二種類の製品を用意しなければならなくなり、製造コストや管理コストが増大するとともに、使用者も二種類の製品から選んでから使用しなければならないという問題がある。さらに特許文献４が開示する装置は、誤動作が発生しにくく、利き手による操作の難易がないとしても、構造が非常に複雑になり、製造コストが上昇してしまうという問題がある。
【０００７】
本発明は、上述した従来の問題点に鑑み、誤動作が発生しにくく、利き手による操作の難易がなく、片手で操作でき、組立も容易なだけでなく、構造が簡単で、安価に製造可能な医療用カテーテルを提供することを目的とする。
【０００８】
【課題を解決するための手段】
本発明の請求項１に係る留置針は、上記目的を達成するために、少なくとも先端を血管内等患者や患畜の体内へ留置させ得る外針を備える外針部と、該外針部に装着した状態で患者や患畜の皮膚へ穿刺することにより上記外針を上記留置可能状態へ案内する内針を備える内針部と、少なくとも上記内針を収納可能な筒状ケースと、該筒状ケースの内部に位置して上記内針部を上記筒状ケースの先端側から基端側へ移動付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部を上記内針部の外周に設けた係止部位と係合及び係合解除可能に取り付け、上記環状体の操作により上記環状体の突状部と上記内針の係止部位とを上記付勢手段による付勢力に抗した状態で係合可能とし、かつ該係合を解いて上記筒状ケースの上記基端方向へ上記内針部を付勢移動可能としてなることを特徴とする。なお、本明細書において、先端とは針先側の端部を、基端とは軸方向でその逆側の端部を言い、先端部、基端部についても同様である。
【０００９】
本発明の請求項２に係るものは、上記目的を達成するために、少なくとも先端を血管内等患者や患畜の体内へ留置させ得る外針を備える外針部と、該外針部に装着した状態で患者や患畜の皮膚等へ穿刺することにより上記外針を上記留置可能状態へ案内する内針を備える内針部と、少なくとも上記内針を収納可能な筒状ケースと、該筒状ケースの内部に位置して上記内針部を上記筒状ケースの先端側から基端側へ移動付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部を上記内針部の外周に設けた係止部位と係合及び係合解除可能に取り付けるとともに、上記筒状ケースの基端から突出する上記内針部の基端に回転操作用部位を設け、上記環状体または上記回転操作用部位の操作により上記環状体の突状部と上記内針の係止部位とを上記付勢手段による付勢力に抗した状態で係合可能とし、かつ該係合を解いて上記筒状ケースの上記基端方向へ上記内針を付勢移動可能としてなることを特徴とする。
【００１０】
また本発明の請求項３に係る採血用器具は、上記目的を達成するために、注射針を備える針部と、少なくとも上記注射針を収納可能な筒状ケースと、該筒状ケースの内部に位置して上記針部を上記筒状ケースの先端側から基端側へ付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部と上記針部の係止部位とを係合及び係合解除可能に取り付け、上記環状体の操作により上記付勢手段による付勢力に抗して上記針部と係合可能とし、かつ該係合を解いて上記筒状ケースの上記基端方向へ上記針部を付勢移動可能としてなることを特徴とする。
【００１１】
本発明の請求項４に係るものは、上記目的を達成するために、注射針を備える針部と、少なくとも上記注射針を収納可能な筒状ケースと、該筒状ケースの内部に位置して上記針部を上記筒状ケースの先端側から基端側へ付勢する付勢手段とからなる医療用カテーテルにおいて、上記筒状ケースの上記先端と上記基端との間の部位の外周に、上記筒状ケースの軸心周りで回転可能な環状体を上記筒状ケースと同心に設け、かつ上記筒状ケースに設けた開口を介して上記環状体の内周壁に設けた突状部を上記内針の外周に設けた係止部位と係合及び係合解除可能に取り付けるとともに、上記筒状ケースの基端から突出する上記針部の基端に回転操作用部位を設け、上記環状体または上記回転操作用部位の操作により上記付勢手段による付勢力に抗して上記針部の係止部位を上記環状体の突状部と係合可能とし、かつ該係合を解いて上記筒状ケースの上記基端方向へ上記針部を付勢移動可能としてなることを特徴とする。
【００１２】
【発明の実施の形態】
以下、本発明に係る医療用カテーテルの実施の形態を図面を参照して説明する。なお以下では本発明に係る医療用カテーテルを留置針として用いた場合の実施形態についてのみ説明するが、本発明に係る医療用カテーテルを採血用器具に適用することは図示しかつ後述する実施形態から容易に想到可能であるので、その実施形態については説明を省略する。また以下の実施形態では各構成要素が円形または略円形の断面形状を有するものとするが、本発明はこれに限定されず、非円形の断面形状を有するものでも適用できる。
【００１３】
図１は、本発明に係る医療用カテーテルである静脈留置針の構造を示す使用前の正面断面図（Ａ）と、使用後に内針を収納した状態の正面断面図（Ｂ）である。本実施形態の留置針は、外針部１、内針部２、筒状ケース３、筒状ケース３の内部に位置する付勢手段としてのコイルバネ４、内針部２の収納操作用のリング５、及び先細形状の先端カバー６からなる。
【００１４】
外針部１は、先端側を血管内等患者や患畜（以下単に患者等という）の体内へ留置させ得る外針１１、外針１１の基端を保持する段付き中空筒状の外針ハブ１２、外針ハブ１２の太径部分内に設けた逆止弁１３及び逆止弁１３を操作するために外針ハブ１２の太径部分外周に取り付けたスライド操作部１４から構成してある。詳細な図示は省略するが、外針ハブ１２の太径部分外周に設けた突部１５を、スライド操作部１４をスライドさせて外針ハブ１２の内径側へ押し込むことにより逆止弁１３を開とすることができ、通常は突部１５を押し込まずに逆止弁１３を図示のように閉としておく。なおこれら外針１１等については公知の形態のものを用いればよい。符号１７は端部を示している。
【００１５】
図２は、図１に示す留置針の内針部２の構造を示す正面図（Ａ）及び先端側の構造を示す端面図（Ｂ）と基端側の構造を示す端面図（Ｃ）である。内針部２は、外針部１に装着した状態、すなわち外針１１内を貫通して突出する先端側を患者等の皮膚等へ穿刺することにより外針１１を留置可能状態へ案内するための内針２１（図２では図示を省略してある）、及び内針２１の基端を保持する内針ハブ２２から構成してある。
【００１６】
内針ハブ２２は段付き円柱形状を有し、若干先細のテーパ形状とした細い先端側部分２２ａを外針ハブ１２の基部の中空部１６内へ挿入可能であり、径が太い基端部２２ｂの外周には摺動ガイド用の一対の突起２３、２３を備えている。また段付きの中空孔２２ｃを貫通形成してあり、基端の広径開口側から軸線を一致させて内針２１を挿入しかつ保持できる。なお基端部２２ｂの外径は、筒状ケース３の後述する内筒の内径よりわずかに小さくしてある。
【００１７】
筒状ケース３は、ツマミ部３１と、ツマミ部３１内で摺動可能な内筒３２からなる。図３は、外筒３１の正面断面図（Ａ）、Ｂ−Ｂ線に沿う拡大断面図（Ｂ）、Ｃ−Ｃ線に沿う拡大断面図（Ｃ）、及び矢印Ｄ方向から見た基端側端面図（Ｄ）である。これらの図に示すように、外筒３１は、先端カバー６の基端開口部を嵌着するための直筒状のカバー装着部３１ａ、鼓状の外形状を有する先端部３１ｂ、先端部３１ｂの最大径と外径が同じ直筒状の基端部３１ｃ、先端部３１ｂと基端部３１ｃの間に位置するリング装着部３１ｄとから構成してあり、これらの内部に段付きの中空孔を貫通形成してある。図中３３３ａ、３３３ｂがカバー装着部３１ａの中空孔、３３４ａ、３３４ｂが先端部３１ｂの中空孔、３３５が基端部３１ｃの中空孔、３３６がリング装着部３１ｄの中空孔である。
【００１８】
カバー装着部３１ａの先端側の中空孔３３３ａは、基端側の中空孔３３３ｂより小径に形成してあり、液密を保って内針ハブ２２の先端側部分２２ａの直筒状部分外周と嵌着し得る。また基端側の中空孔３３３ｂと先端部３１ｂの中空孔３３４ａは先端側の中空孔３３３ａよりも若干広径としてあり、内針ハブ２２の先端側部分２２ａ外周との間にコイルバネ４を装着できる。すなわちコイルバネ４の先端を中空孔３３３ｂの基端壁面に当接させ、コイルバネ４の基端を内針ハブ２２の段付き部分の端壁面で受ける装着状態とすることにより、コイルバネ４の付勢力で内針ハブ２２をツマミ部３１の基端側へ押し付け付勢できる。なお付勢手段としてはコイルバネ以外の手段も採用できる。
【００１９】
先端部３１ｂは、先端側の径を先端カバー６の基端開口部外径と等しくしてあり、カバー装着部３１ａに先端カバー６を嵌着した状態では先端カバー６及び先端部３１ｂの外周面が面一状態で連なる構成としてある。また先端部３１ｂの基端側内周壁には、内針ハブ２２の突起２３を受け入れて周方向の位置決めを行うための一対の溝３４、３４を径方向で対向させて設けてある。
【００２０】
基端部３１ｃは、軸線方向全長にわたって中空孔３３５の内周壁に一対のガイド溝３５、３５を、先端部３１ｂの溝３４と軸線方向周りで９０度回転した位置に対向させて形成してある。これらのガイド溝３５は、後述する内筒３２の先端突部をそれぞれ受け入れてその摺動をガイドするためのものである。ただしガイド溝３５は基端部３１ｃを貫通しておらず、最も基端側の部分３３５ｔとの境界を段付き部とすることにより、内筒３２の抜け止めを図ってある。また最基端側部分３３５ｔには、ガイド溝３５と軸線方向周りで９０度回転した位置（先端部３１ｂの溝３４と軸線方向で位置が一致する）に対向させて挿抜溝３６ａ、３６ａを設け、さらに、ガイド溝３５と挿抜溝３６ａの間をつなぐ一対の連通溝３６ｂ、３６ｂとを形成してあり、内筒３２を回転させつつツマミ部３１に対して挿入、抜去を可能にしてある。
【００２１】
図４は、リング装着部３１ｄとその近傍の拡大正面断面図（Ａ）及びＢ−Ｂ線に沿う断面図（Ｂ）である。リング装着部３１ｄは直短管状の部分で、先端部３１ｂと基端部３１ｃの隣り合う部分よりも小径で凹環溝状を呈し、内部の中空孔３３６は、基端部３１ｃの中空孔３３５に設けたガイド溝３５の溝底と同径に、すなわち中空孔３３５よりもガイド溝３４の深さ分だけ若干大径に形成してある。また周壁には略９０度強の周方向角度範囲にわたって一対の開口を対向形成してあり、開口内に止血用フィルタ３７（あるいはバックフロー止めフィルタ）が取り付けられてあり、後述するリング５の突起を装着できる。
【００２２】
図５は、リング装着部３１ｄに装着するリング５の側面図（Ａ）とＢ−Ｂ線に沿う断面正面図（Ｂ）及び分解状態のＢ−Ｂ線に沿う断面正面図（Ｃ）である。リング５は、図示のように径方向で２分割した半環状体５ａ、５ｂを組み合わせて形成するものである。両半環状体５ａ、５ｂは組み合わせた状態における中心の周りで点対称の形状を有し、リング装着部３１ｄの開口に装着する突起３８を周方向中央かつ幅方向（図５Ｂ、Ｃの左右方向）中央にそれぞれ有する。また周方向両端に組み合わせ用の凸部３９ａと凹部３９ｂを備えている。凸部３９ａは小半球状の小凸部４０ａを幅方向両面にそれぞれ一対ずつ有し、凹部３９ｂは小凸部４０ａと対応する形状の小半球状の小凹部４０ｂを幅方向両内面にそれぞれ一対ずつ有する。すなわち、それぞれの凸部３９ａを相手方の凹部３９ｂ内へ差し込み、凸部３９ａ及び凹部３９ｂの弾性を利用して小凸部４０ａと小凹部４０ｂとを嵌着させることにより半環状体５ａ、５ｂを組み合わせ、環状のリング５を形成する。
【００２３】
不図示の他の実施形態においては、リング５は、２分割構造ではなく、一体構造である。一体構造のリング５は射出成形法等によって製造される。
【００２４】
図６は、内筒３２の正面図（Ａ）、先端側の側面図（Ｂ）及び基端側の側面図（Ｃ）である。また図７は、図６のＡ−Ａ線に沿う拡大断面図（Ａ）とＢ−Ｂ線に沿う側面図（Ｂ）及び同図中の矢印Ｃ方向から見た部分正面図（Ｃ）である。これらの図に示すように、内筒３２は、ツマミ部３１の基端部３１ｃ内に摺動可能に装着する直筒部３２ａと、外筒３１の基端部３１ｃより大径で短筒状のダイアル部３２ｂとから構成してある。
【００２５】
直筒部３２ａは、内針ハブ２２を受け入れる中空孔４１を有する中空有底状の構造を有し、先端外周にツマミ部３１の基端部３１ｃに形成したガイド溝３５に装着する一対の突部４２、４２を径方向で対向させて設けてある。またそのすぐ横に、リング５の突起３８を受け入れるための一対の溝４３、４３を同じく径方向で対向させて設けてある。なおダイアル部３２ｂとの境界をなす直筒部３２ａの底部にも中空孔４４を設けてあるが、図示のように非常に細く絞ってある。またダイアル部３２ｂには直筒部３２ａの中空孔４１、４４に連通するラッパ状に開いた孔４５を設けてある。さらに、直筒部３２ａの中空孔４１内壁には、内針ハブ２２の突起２３を摺動ガイドするための一対のガイド溝４６、４６を、突部４２と径方向で直交する方向で対向させて設けてある。
【００２６】
直筒部３２ａは、図１（Ａ）からわかるように、ツマミ部３１の基端部３１ｃの中空孔３３５を貫通し、かつリング装着部３１ｄの中空孔３３６をもほぼ貫通し、先端部３１ｂとリング装着部３１ｄとの境界の中空孔３３４ｂ、３３６の径の差によって生じる段部に先端が当接あるいはほぼ当接し得る軸線方向長さを有する。そして突部４２の軸線方向寸法ｈ１をリング装着部３１ｄの中空孔３３６の長さとほぼ同一あるいは若干短く形成してあり、突部４２全体がリング装着部３１ｄの中空孔３３６内に入ると基端部３１ｃのガイド溝３５から外れる。また溝４３の軸線方向寸法ｈ２は突部４２の軸線方向寸法ｈ１以下（図の例では短い）としてある。
【００２７】
すなわち、直筒部３２ａの溝４３にリング５の突起３８を受け入れ得る状態で内筒３２の先端側をリング装着部３１ｄの中空孔３３６内に入れると、突部４２が基端部３１ｃのガイド溝３５から外れ、リング５を軸線の周りで回転させることにより、内筒３２全体を回転させ得る。また内筒３２全体を回転させることにより、基端部３１ｃのガイド溝３５を形成していない段付き部分の端面に突部４２の基端部が当たる状態になり、軸線方向での摺動を妨げる。図１（Ａ）はこの状態を示している。
【００２８】
次に上述した実施形態の留置針について、使用形態を説明する。
まず、袋やシール材等で密閉保存してあれば袋等を破って取り出し、図１（Ａ）の状態から先端カバー６を取り外し、内針２１先端及びその外周に位置する外針１１を露出させる。ついで周知あるいは公知の静脈留置針と同様に、内針２１を患者等の所要部位の皮膚へ穿刺し、さらに押し込んで少なくとも外針１１先端を刺し込む。外針１１の先端が患者等の例えば所要の静脈血管等に到達したならば、外針１１の先端近傍を指先等で押さえつつ、外針部１を残して内針部２その他を引き抜く。すると図８に示すように、外針１１が患者等の静脈血管等に刺し込まれたまま外針部１が患者等の側に残り、内針部２その他が分離する。
【００２９】
外針１１を患者等の皮膚に刺したまま内針部２等を抜去するので、外針１１内には血液等の体液が逆流してくるが、逆止弁１３によりせき止められる。また何らかの理由で逆止弁１３を開とするときには、既に述べたようにスライド操作部１４の操作により突部１５を外針ハブ１２の内径側へ押し込めばよい。
【００３０】
そしてリング５を回転させると、内筒３２の直筒部３２ａの溝４３にリング５の突起３８が嵌っているため内筒３２が内針部２ごと軸線周りで回転する。すると、直筒部３２ａ先端の突部４２が基端部３１ｃのガイド溝３５対応位置へ移動し、基端部３１ｃのガイド溝３５を形成していない段付き部分に突部４２が当たって軸線方向での移動を妨げられていた状態から解放され、コイルバネ４の付勢力によってガイド溝３５に沿って外筒３１内を内筒３２と内針部２が一体にスライド移動する。内筒３２の移動は、外筒３１の最基端側部分３３５ｔ段付き部分壁面に突部４２が突き当たることで止まる。
【００３１】
さらに、内筒３２の回転で突部４２が基端部３１ｃのガイド溝３５と対応する位置へ移動すると、内針ハブ２２の突起２３と直筒部３２ａのガイド溝４６の位置が一致するので、内針部２がコイルバネ４の付勢力によって内筒３２内へ押し込まれ、内針ハブ２２の基端部が図１（Ｂ）に示す状態となる。この状態で内針２１の先端は外筒３１内へ収納され、コイルバネ４の付勢力に抗して内筒３２を外筒３１内へ押し込まない限り、内針２１が外筒ツマミ部３１から外へ突出しなくなり、この状態で内針２１を誤って刺すことによる事故の危険がほとんどなくなる。したがってこの状態のまま廃棄処理してもよいが、さらに安全を期すために、先端カバー６を再び装着することが好ましい。
【００３２】
なお本実施形態においては、リング５の操作だけでなく、内筒３２のダイアル部３２ｂを回すことによっても、上記と同様の収納操作を行い得る。
【００３３】
また上述のように使用済みの留置針において、何らかの理由で内針２１を再び外筒３１から突出させて図８に示す状態とするには、内筒３２を外筒ツマミ部３１の基端部３１ｃへ押し込み、かつダイアル部３２ｂの孔４５から直筒部３２ａの中空孔４４を通して針あるいは細い棒状の部材を差し込んで内針ハブ２２を先端側へ押し出し、既述のようなリング５による係止操作を行えばよい。
【００３４】
不図示のさらに他の実施形態においては、逆止弁が内蔵されていない。抜去した内針部２等は図８に示す状態となるが、このとき内針２１には血液等が付着しており、ＨＢＶ等の感染事故の原因となる。そこで、抜去後は急いで内針２１を筒状ケース３内へ収納することになるが、その操作は、リング装着部３１ｄに装着してあるリング５を看護士等の使用者が右手または左手の親指と人差し指等で挟んで回転させるだけである。すなわち、この種の器具の操作では、外筒ツマミ部３１の基端部３１ｃの長手方向中央よりも先端側、具体的には先端部３１ｂあるいは先端部３１ｂと基端部３１ｃの先端側部位をつかむのが自然であり、基端部３１ｃの最も基端側のみをつまんで内針部２を引き抜き操作することは通常は不自然であるためと、先端部３１ｂを鼓状の外形状としてつかみやすくしてあるため、内針部２等を抜去した直後は、使用者の指がリング５の近傍に位置する。そこで、そのままの状態あるいは若干握り直す程度の所作を行って指２本をリング５の操作に最適な状態とすることができる。
【００３５】
なお以上説明してきた実施形態をなす諸構成要素の材質、製法等については、公知かつ同種の医療用カテーテルと同様のもの、例えば射出成形による合成樹脂成形品や、種々の製法による金属製品等を用いることができる。
【００３６】
【発明の効果】
本発明に係る医療用カテーテルは、筒状ケースの先端と基端との間の部位の外周に、筒状ケースの軸心周りで回転可能な環状体を筒状ケースと同心に設け、かつ筒状ケースに設けた開口を介して環状体の内周壁に設けた突状部を内針部の外周に設けた係止部位と係合及び係合解除可能に取り付け、環状体の操作により環状体の突状部と内針の係止部位とを付勢手段による付勢力に抗した状態で係合可能とし、かつ該係合を解いて筒状ケースの基端方向へ内針部を付勢移動可能としてなるので、使用後に指先で環状体を回すという簡単な操作によって内針を筒状ケース内へ収納でき、医師、歯科医師、看護士、看護人等の操作者や廃葉物処理者が誤って内針を自分や他人に刺したりする事故の発生可能性を低下させ、ＨＩＶ等の感染病に罹病する危険性も減少させ得るという効果が得られる。特に簡単な操作であるため、片手だけで行なうことができ、しかも、利き手でなくても十分に操作可能である。したがって、右手用と左手用の区別が無く、製品の種類も半減することができ、選択使用する必要もなく、管理が簡単である。
【図面の簡単な説明】
【図１】本発明に係る医療用カテーテルである留置針の構造を示す使用前の正面断面図（Ａ）と、使用後に内針を収納した状態の正面断面図（Ｂ）である。
【図２】図１に示す留置針の内針部２の構造を示す正面図（Ａ）及び先端側の構造を示す端面図（Ｂ）と基端側の構造を示す端面図（Ｃ）である。
【図３】同外筒の正面断面図（Ａ）、Ｂ−Ｂ線に沿う拡大断面図（Ｂ）、Ｃ−Ｃ線に沿う拡大断面図（Ｃ）、及び基端側端面図（Ｄ）である。
【図４】同リング装着部とその近傍の拡大正面断面図（Ａ）及びＢ−Ｂ線に沿う断面図（Ｂ）である。
【図５】同リングの側面図（Ａ）とＢ−Ｂ線に沿う断面正面図（Ｂ）及び分解状態のＢ−Ｂ線に沿う断面正面図（Ｃ）である。
【図６】同内筒の正面図（Ａ）、先端側の側面図（Ｂ）及び基端側の側面図（Ｃ）である。
【図７】図６のＡ−Ａ線に沿う拡大断面図（Ａ）とＢ−Ｂ線に沿う側面図（Ｂ）及びその部分正面図（Ｃ）である。
【図８】患者等から外針部を残して内針部その他を引き抜いた状態を示す正面図である。
【符号の説明】
１  外針部
２  内針部
３  筒状ケース
４  コイルバネ
５  リング
５ａ、５ｂ  半環状体
６  先端カバー
１１  外針
１２  外針ハブ
１３  逆止弁
１４  スライド操作部
１５  突部
１６  中空部
１７  端部
２１  内針
２２  内針ハブ
２２ａ  内針ハブの先端側部分
２２ｂ  基端部
２２ｃ  中空孔
２３  突起
３１  ツマミ部
３１ａ  外筒のカバー装着部
３１ｂ  先端部
３１ｃ  基端部
３１ｃｔ  基端部の最基端側部分
３１ｄ  リング装着部
３２  内筒
３２ａ  内筒の直筒部
３２ｂ  ダイアル部
３３３ａ、３３３ｂ、３３４ａ、３３４ｂ、３３５、３３６  中空孔
３４  溝
３５  ガイド溝
３６ａ  挿抜溝
３６ｂ  連通溝
３７  止血用フィルタ
３８  突起
３９ａ  凸部
３９ｂ  凹部
４０ａ  小凸部
４０ｂ  小凹部
４１  中空孔
４２  突部
４３  溝
４４  中空孔
４５  孔
４６  ガイド溝
【図１】
2004242758.tif 000003
【図２】
2004242758.tif 000004
【図３】
2004242758.tif 000005
【図４】
2004242758.tif 000006
【図５】
2004242758.tif 000007
【図６】
2004242758.tif 000008
【図７】
2004242758.tif 000009
【図８】
2004242758.tif 000010